(57)【要約】【課題】金属アレルギーがでにくく装着感に優れたビーズ，ビーズ用工具を提供する。【解決手段】毛髪取付ビーズ１０は、略筒状の本体１２に、複数本の毛髪材１６及び地毛２０を挿通するための挿通孔１４を備えている。前記本体１２は、金属アレルギーが出にくいようにステンレスにより形成されており、更に、圧着したときに割れにくくなるように、ステンレスを所望の形に成形加工した後に、固溶化処理ないし溶体化処理が施されている。地毛２０に取り付けるときは、前記挿通孔１４に毛髪材１６及び地毛２０を挿通して本体１２を圧着する。取り外すときは、ビーズ用工具３０の溝３８，４０に扁平に変形した本体１２を挟んで押圧すると、本体１２の形状が復元し、地毛２０からビーズ１０及び毛髪材１６を抜くことができる。【選択図】図１
2008196098.tif 000002
【特許請求の範囲】
【請求項１】
取付の対象物を挿通可能な挿通孔が形成された略筒状のビーズであって、
ステンレスにより形成するとともに、該ステンレスの成形加工後に固溶化処理（ないし溶体化処理）を行って変形を可能としたことを特徴とするビーズ。
【請求項２】
把持部とハンドル部を有する一対の部材が軸によって回動可能に結合されたビーズ用工具であって、
前記把持部に、変形したビーズを挟んで、該ビーズを形状が復元する方向に押圧するための少なくとも一つの溝，
を設けたことを特徴とするビーズ用工具。
【請求項３】
前記把持部に、ビーズを挟んで押し潰すための平坦部を設けたことを特徴とする請求項２記載のビーズ用工具。
【請求項４】
前記ハンドル部に、装飾を設けたことを特徴とする請求項２又は３記載のビーズ用工具。
【請求項５】
前記ハンドル部に、透明のカバーを設けたことを特徴とする請求項２〜４のいずれかに記載のビーズ用工具。
【発明の詳細な説明】
【技術分野】
【０００１】
本発明は、増毛用の毛髪材やアクセサリー類などの各種対象物を取り付けるためのビーズ，ビーズ用工具に関するものである。
【背景技術】
【０００２】
従来、頭髪を増毛させる方法として、ビーズ状又はチューブ状の取付具に、地毛と毛髪材を挿通し、前記取付具を圧着して地毛に毛髪材を取り付ける方法が採用されている。また、以下の特許文献１には、リング体もしくは筒体を２層に構成した頭髪に取付ける毛髪用止着具が開示されている。
【特許文献１】特開平１０−６０７２１号公報
【発明の開示】
【発明が解決しようとする課題】
【０００３】
しかしながら、従来の取付具は、主にアルミニウムや真鍮などの金属で筒体が形成されている場合には、頭皮に近い部分に取り付けると、装着者の体質によっては金属アレルギーをおこすことがある。また、前記特許文献１に示すように、内層はゴム，ウレタン樹脂，その他の弾性合成樹脂材で成形し、外層に耐食性のアルミニウムやその他の軽金属を被着して装着感の向上を図る方法では、２層構造に形成する必要があるため、製造工程が増えるほか、内層が樹脂材であるために頭髪が滑りやすいという不都合がある。
【０００４】
本発明は、以上の点に着目したもので、その目的は、簡単な構成で金属アレルギーがおきにくく装着感に優れるとともに、増毛のみならず多用途に利用できるビーズを提供することである。他の目的は、ビーズの取り外しを容易に行うためのビーズ用工具を提供することである。
【課題を解決するための手段】
【０００５】
前記目的を達成するため、本発明のビーズは、取付の対象物を挿通可能な挿通孔が形成された略筒状のビーズであって、ステンレスにより形成するとともに、該ステンレスの成形加工後に固溶化処理（ないし溶体化処理）を行って変形を可能としたことを特徴とする。
【０００６】
本発明のビーズ用工具は、把持部とハンドル部を有する一対の部材が軸によって回動可能に結合されたビーズ用工具であって、前記把持部に、変形したビーズを挟んで、該ビーズを形状が復元する方向に押圧するための少なくとも一つの溝，を設けたことを特徴とする。主要な形態の一つは、前記把持部に、ビーズを挟んで押し潰すための平坦部を設けたことを特徴とする。他の形態は、前記ハンドル部に、装飾を設けたことを特徴とする。更に他の形態は、前記ハンドル部に、透明のカバーを設けたことを特徴とする。本発明の前記及び他の目的，特徴，利点は、以下の詳細な説明及び添付図面から明瞭になろう。
【発明の効果】
【０００７】
本発明は、対象物を挿通可能な挿通孔が形成された略筒状のビーズを、ステンレスの成形加工後に固溶化処理（ないし溶体化処理）を施すことによって変形可能としたので、金属アレルギーがおきにくく装着感に優れたビーズが得られる。また、工具の把持部に、変形したビーズの形状を復元する方向に押圧可能な溝を設けることとしたので、ビーズの取り外しを容易に行うことができるという効果が得られる。
【発明を実施するための最良の形態】
【０００８】
以下、本発明を実施するための最良の形態を、実施例に基づいて詳細に説明する。
【実施例１】
【０００９】
最初に、図１〜図３を参照しながら、本発明の実施例１を説明する。本実施例は、本発明のビーズを、毛髪の取り付けに適用した例である。図１は、本実施例の毛髪取付ビーズとその取り付けの様子を示す断面図及び平面図，図２は、前記毛髪取付ビーズの取り外しの様子を示す平面図及び断面図，図３(A)〜(D)は、前記ビーズのビーズ用工具を示す図である。本実施例の毛髪取付ビーズ１０（以下「ビーズ１０」とする）は、頭髪を増毛するためのものであって、図１(A-1)に示すように、略筒状の本体１２に、複数本の毛髪材１６と地毛２０を同時に挿通可能な挿通孔１４が形成されている。前記本体１２は、長手方向の略中央部が肉厚に形成されており、前記挿通孔１４の両端側には、該挿通孔１４に通した毛髪材１６や地毛２０の切断を防止するために、丸みを帯びた切削部１８が形成されている。
【００１０】
前記本体１２は、ステンレスを所望の形に成形加工した後に、固溶化処理（ないし溶体化処理）を施すことにより形成される。前記ステンレスは、チタンと同様に金属アレルギーをおこしにくく、かつ、チタンよりも加工性が良好でコスト面でも都合がよい。しかしながら、成形加工したままでは割れやすい性質を有しているため、粘りを出して割れないようにするために、固溶化（ないし溶体化）とよばれる熱処理が施される。このように、成形後に固溶化（溶体化）処理を行うことによって、成形時には硬くて成形加工を行いやすく、固溶化処理後には、潰しても割れにくいビーズを得ることができる。
【００１１】
図３(A)には、前記ビーズ１０の取り付け及び取り外しに用いられるビーズ用工具３０が示されている。図３(A)に示すように、ビーズ用工具３０は、把持部３２Ａとハンドル部３２Ｂを有する本体３２と、把持部３４Ａとハンドル部３４Ｂを有する本体３４が、軸３６を中心として回動可能なペンチ状の工具であって、前記把持部３２Ａ，３４Ａの適宜位置に、一対の溝３８，４０が形成されている。前記溝３８，４０は、扁平に変形したビーズ１０を、その形状を復元する方向に押圧するものであって、その形状及び寸法は、前記ビーズ１０に応じて適宜設定されている。また、前記ハンドル部３２Ｂ，３４Ｂには、それぞれ模様４６Ａ，４６Ｂが設けられており、更に、カバー４８Ａ，４８Ｂによって覆われている。前記カバー４８Ａ，４８Ｂは、前記模様４６Ａ，４６Ｂが隠れないように、有色・無色に関わらず、透明のものを用いるようにすると都合がよい。
【００１２】
次に、前記図１及び図２を参照して、本実施例の作用を説明する。まず、ビーズ１０を取り付ける場合は、図１(A-1)に示すように、矢印Ｆ１方向に沿って、ビーズ１０の挿通孔１４に装着者の地毛２０と増毛用の毛髪材１６を挿通する。毛髪材１６及び地毛２０の挿通は、挿通孔１４に図示しないフックなどが付いた工具を通し、前記フックに毛髪材１６及び地毛２０を掛けて挿通孔１４内を引き抜くなどの公知の各種手法により行われる。あるいは、予め毛髪材１６を挿通孔１４に挿通しておき、次に地毛２０を挿通するようにしてもよい。毛髪材１６及び地毛２０を通したら、図１(B-1)に示すように、ビーズ用工具３０の把持部３２Ａ，３４Ａの平坦部３２Ｃ，３４Ｃでビーズ１０を挟み、図１(B-2)で示すように前記ビーズ１０を押し潰す。このとき、前記ビーズ１０は、上述した（溶体化）処理により割れにくくなっているため、図１(A-1)に示す状態のビーズ１０が矢印Ｆ２方向に押し潰されて変形する。すると、図１(A-2)に示すように、圧着された挿通孔１４に毛髪材１６と地毛２０が挟まれて、ビーズ１０が固定される。以上の作業を、所望数の毛髪材１６を取り付けるまで繰り返し行う。
【００１３】
前記地毛２０が伸びて、毛髪材１６の取付位置をずらす場合には、ビーズ１０を取り外す必要がある。このときは、まず、図２(A)に示すように、扁平に押し潰されたビーズ１０を、前記ビーズ用工具３０の溝３８，４０で挟み、同図の矢印Ｆ３で示す方向に把持部３２Ａ，３４Ａを押圧して、図２(B)で示すように、前記ビーズ１０の形状を復元する。すると、図２(C)に矢印Ｆ４で示すように、ビーズ１０及び毛髪材１６を、地毛２０に沿って移動させて取り外すことが可能となる。その後、必要に応じて、上述した手順に従って新たなビーズ１０を用いて、毛髪材１６を地毛２０の根元付近に取り付ける。
【００１４】
このように、実施例１によれば、次のような効果がある。
(1)ステンレスの成形加工後に、固溶化（溶体化）処理を施すこととしたので、ビーズ１０を割れにくくすることができる。
(2)ステンレスを用いているため、金属アレルギーがおきにくく、また、毛髪材１６や地毛２０から外れにくくなるので、快適な装着感を得ることができる。
(3)挿通孔１４の両端側に丸みを帯びた切削部１８を設けることとしたので、毛髪材１６や地毛２０の切断を防止することができる。
(4)ペンチ状のビーズ用工具３０の把持部３２Ａ，３４Ａに、変形したビーズ１０を形状復元方向に押圧可能な溝３８，４０を設けることとしたので、ビーズ１０の取り外しを容易に行うことができる。
(5)ビーズ用工具３０のハンドル部３２Ｂ，３４Ｂに模様４６Ａ，４６Ｂを設けることとしたので、デザイン性を向上させることができる。
(6)ハンドル部３２Ｂ，３４Ｂに透明のカバー４８Ａ，４８Ｂを設けることとしたので、模様４６Ａ，４６Ｂを隠すことなく、汚れやキズなどが付くのを防止することができる。
【００１５】
なお、本発明は、上述した実施例に限定されるものではなく、本発明の要旨を逸脱しない範囲内において種々変更を加え得ることができる。例えば、以下のものも含まれる。
(1)前記実施例１で示した形状，寸法は一例であり、必要に応じて適宜変更してよい。例えば、前記実施例１では、ビーズ用工具３０の溝３８，４０を、軸３６寄りの位置に設けることとしたが、これも一例であり、図３(B)に示すように、先端付近に設けるようにしてもよいし、図３(C)に示すように、先端と軸３６寄りの２ヶ所に設けて、使いやすい方の溝を用いるようにしてもよい。あるいは、図３(D)に示すように、溝３８，４０とはサイズの異なる溝４２，４４を、前記把持部３２Ａ，３４Ａに設けるようにしてもよい。また、前記実施例では、一対以上の溝を設けることとしたが、把持部３２Ａ，３４Ａのいずれか一方にのみ溝を設けるようにしてもよい。この場合は、溝を一対設ける場合よりも溝の深さを深めに設定すると、ビーズ１０を挟みやすくなるため都合がよい。
【００１６】
(2)前記実施例１で示したビーズ用工具３０の模様４６Ａ，４６Ｂや、カバー４８Ａ，４８Ｂも一例であり、必要に応じて設けるようにすればよい。
(3)前記作用も一例であり、同様の効果を奏するように適宜変更してよい。例えば、前記実施例では、ビーズ１０の取り外しの際には、図２(B)に示すように、ビーズ１０の形状をほぼ圧着前の状態まで復元させることとしたが、これも一例であり、地毛２０から取り外しができる程度に挿通孔１４を広げることができればよい。
(4)前記ビーズ用工具３０の用途も一例であり、前記ビーズ１０の取り付けや取り外しに用いるほか、他の公知の各種の用途に適用してよい。
【００１７】
(5)前記実施例では、ビーズ１０の取り付けと取り外しを一つの工具で兼用したが、それぞれ個別の専用の工具としてもよい。
(6)前記実施例では、ステンレスの成形加工後に固溶化（溶体化）処理を施したビーズ１０に対してビーズ用工具３０を適用したが、該工具３０は、ビーズ全般に適用可能である。
(7)前記実施例１では、本発明のビーズを増毛用に用いることとしたが、これに限定されるものではなく、例えば、図３(E)に示すように、アクセサリ的に装着するつけ毛（エクステンション）５０の用途に適用することを妨げるものではない。このほか、ネックレス，指輪，ピアスなどのアクセサリ用や、手芸用、あるいは、電気コードのつぶし球用など、他の公知の各種の対象物の取り付けなどに、本発明のビーズは適用可能である。
【産業上の利用可能性】
【００１８】
本発明によれば、対象物を挿通可能な挿通孔が形成された略筒状のビーズを、ステンレスの成形加工後に固溶化（溶体化）処理を施すことによって変形可能とした（割れにくくした）ので、各種対象物の取り付けなどに適用できる。特に、金属アレルギーがおきにくいことから、地肌に近い位置での毛髪材の取り付けに好適である。
【図面の簡単な説明】
【００１９】
【図１】本発明の実施例１の毛髪取付ビーズとその取り付けの様子を示す断面図及び平面図である。
【図２】前記実施例１の毛髪取付ビーズの取り外しの様子を示す平面図及び断面図である。
【図３】(A)〜(D)は前記実施例１のビーズ用工具を示す図，(E)は他の実施例を示す図である。
【符号の説明】
【００２０】
１０：毛髪取付ビーズ
１２：本体
１４：挿通孔
１６：毛髪材
１８：切削部
２０：地毛
３０：ビーズ用工具
３２，３４：本体
３２Ａ，３４Ｂ：把持部
３２Ｂ，３４Ｂ：ハンドル部
３２Ｃ，３４Ｃ：平面部
３６：軸
３８，４０，４２，４４：溝
４６Ａ，４６Ｂ：模様
４８Ａ，４８Ｂ：カバー
５０：つけ毛
【図１】
2008196098.tif 000003
【図２】
2008196098.tif 000004
【図３】
2008196098.tif 000005